(57)【要約】【課題】取付部材を取付先に着脱可能に固定するとともに、取付部材の固定作業を簡略化することができる取付部材の固定構造および電気接続箱を提供すること。【解決手段】取付部材４１、５０、６１を取付先２０に対して着脱可能に固定する取付部材の固定構造１であって、雌ネジ３０と、ネジ孔３２ａに挿通するネジ孔挿通部７１と、ネジ孔挿通部７１の挿入方向後端部に連続し、フランジ部７２と、円柱状空間７３を形成した中空部７４と、を備えた固定部材７０と、を有し、取付部材４１、５０、６１を取付先２０に固定する場合、雌ネジ３０とフランジ部７２とで取付部材４１、５０、６１を挟持した状態で中空部７４を起点としてネジ孔挿通部７１の外周面７１ｂがネジ孔３２ａの内面３２ａａに追従するようにネジ孔挿通部７１を変形し、取付部材４１、５０、６１を取付先２０から離脱する場合、ネジ孔挿通部７１がネジ孔３２ａから離脱する方向に回転するように固定部材７０を回転操作する。【選択図】図５
2015170482.tif 000002
【特許請求の範囲】
【請求項１】
取付先への固定に用いる取付孔を形成した取付部材を前記取付先に対して着脱可能に固定する取付部材の固定構造であって、
前記取付部材を前記取付先に固定する位置に設けた雌ネジと、
前記取付孔に挿通した状態で前記雌ネジのネジ孔に挿通するネジ孔挿通部と、該ネジ孔挿通部の挿入方向後端部に連続し、前記ネジ孔の径よりも拡大したフランジ部と、前記ネジ孔の軸方向に沿って後端面から前方に向けて貫通、あるいは前記ネジ孔挿通部の一部まで延びる円柱状空間を形成した中空部と、を備えた固定部材と、
を有し、
前記取付部材を前記取付先に固定する場合、前記雌ネジと前記フランジ部とで前記取付部材を挟持した状態で前記中空部を起点として前記ネジ孔挿通部の外周面が前記ネジ孔の内面に追従するように前記ネジ孔挿通部を変形し、
前記取付部材を前記取付先から離脱する場合、前記ネジ孔挿通部が前記ネジ孔から離脱する方向に回転するように前記固定部材を回転操作する
ことを特徴とする取付部材の固定構造。
【請求項２】
前記フランジ部は、
前記ネジ孔の軸を中心として回転操作可能な形状をなす
ことを特徴とする請求項１に記載の取付部材の固定構造。
【請求項３】
前記中空部は、
前記円柱状空間を前記固定部材の後端から前端に貫通するように形成してなり、
当該取付部材の固定構造は、
前記円柱状空間に挿通することによって前記中空部を貫通する貫通部と、該貫通部の先端側に連接し、前記円柱状空間の径よりも大きく形成した先端拡大部と、を含む取付操作部材を有し、
前記取付部材を前記取付先に固定する場合、前記貫通部を後方に引っ張り、前記先端拡大部を前記ネジ孔挿通部材の前端縁面に押し付けることによって前記外周面が前記ネジ孔の内面に追従するように変形する
ことを特徴とする請求項１または２に記載の取付部材の固定構造。
【請求項４】
前記取付操作部材は、
前記貫通部が前記フランジ部に形成した前記円柱状空間まで延びた位置で破断することによって、前記フランジ部に形成した前記円柱状空間の少なくとも一部を埋める
ことを特徴とする請求項３に記載の取付部材の固定構造。
【請求項５】
電源から供給される電力を分配する電気接続箱において、
請求項１から４のいずれか一項に記載の取付部材の固定構造を組み込むことを特徴とする電気接続箱。
【発明の詳細な説明】
【技術分野】
【０００１】
本発明は、取付部材を取付先に対して固定する取付部材の固定構造および電気接続箱に関する。
【背景技術】
【０００２】
従来、取付部材を取付先に対して固定する場合、取付先への固定に用いる取付孔を形成した取付部材の取付孔に雄ネジを挿通して取付先に設けた雌ネジに締結することによって固定する取付部材の固定構造を用いる。
例えば、特許文献１にはボルトをヒュージブルリンクのヒューズ端子（取付部材）の取付孔、および電線端子（取付部材）の取付孔に挿通しつつ、ナットのネジ孔に挿通してボルトとナットとを締結することによって、ヒューズ端子と電線端子とを電気的に接続した状態で取付先に固定する取付部材の固定構造が記載されている。
【先行技術文献】
【特許文献】
【０００３】
【特許文献１】特開平１０−９２４８４号公報
【発明の概要】
【発明が解決しようとする課題】
【０００４】
しかしながら、特許文献１に記載された取付部材の固定構造は、ボルトがナットのネジ孔に対して斜め方向に挿通されることを防止するため、仮締めした後、インパクトレンチ等の工具を用いて本締めするようにしている。また、ボルトとナットを締結する際のトルク管理も必要になる。このため、取付部材の固定作業が煩雑であるという問題があった。
【０００５】
この問題を解消するため、ブラインドリベットを用いて取付部材を取付先に固定することも考えられるが、メンテナンスのため取付部材を取付先から離脱しようとしても、ブラインドリベットでは一度固定した取付部材を離脱することが難いという問題がある。
【０００６】
本発明は、上記に鑑みてなされたものであって、取付部材を取付先に着脱可能に固定するとともに、取付部材の固定作業を簡略化することができる取付部材の固定構造および電気接続箱を提供することを目的とする。
【課題を解決するための手段】
【０００７】
上述した課題を解決し、目的を達成するために、本発明の請求項１に係る取付部材の固定構造は、取付先への固定に用いる取付孔を形成した取付部材を前記取付先に対して着脱可能に固定する取付部材の固定構造であって、前記取付部材を前記取付先に固定する位置に設けた雌ネジと、前記取付孔に挿通した状態で前記雌ネジのネジ孔に挿通するネジ孔挿通部と、該ネジ孔挿通部の挿入方向後端部に連続し、前記ネジ孔の径よりも拡大したフランジ部と、前記ネジ孔の軸方向に沿って後端面から前方に向けて貫通、あるいは前記ネジ孔挿通部の一部まで延びる円柱状空間を形成した中空部と、を備えた固定部材と、を有し、前記取付部材を前記取付先に固定する場合、前記雌ネジと前記フランジ部とで前記取付部材を挟持した状態で前記中空部を起点として前記ネジ孔挿通部の外周面が前記ネジ孔の内面に追従するように前記ネジ孔挿通部を変形し、前記取付部材を前記取付先から離脱する場合、前記ネジ孔挿通部が前記ネジ孔から離脱する方向に回転するように前記固定部材を回転操作することを特徴とする。
【０００８】
また、本発明の請求項２に係る取付部材の固定構造は、上記の発明において、前記フランジ部は、前記ネジ孔の軸を中心として回転操作可能な形状をなすことを特徴とする。
【０００９】
また、本発明の請求項３に係る取付部材の固定構造は、上記の発明において、前記中空部は、前記円柱状空間を前記固定部材の後端から前端に貫通するように形成してなり、当該取付部材の固定構造は、前記円柱状空間に挿通することによって前記中空部を貫通する貫通部と、該貫通部の先端側に連接し、前記円柱状空間の径よりも大きく形成した先端拡大部と、を含む取付操作部材を有し、前記取付部材を前記取付先に固定する場合、前記貫通部を後方に引っ張り、前記先端拡大部を前記ネジ孔挿通部材の前端縁面に押し付けることによって前記外周面が前記ネジ孔の内面に追従するように変形することを特徴とする。
【００１０】
また、本発明の請求項４に係る取付部材の固定構造は、上記の発明において、前記取付操作部材は、前記貫通部が前記フランジ部に形成した前記円柱状空間まで延びた位置で破断することによって、前記フランジ部に形成した前記円柱状空間の少なくとも一部を埋めることを特徴とする。
【００１１】
上述した課題を解決し、目的を達成するために、本発明の請求項５に係る電気接続箱は、電源から供給される電力を分配する電気接続箱において、請求項１から４のいずれか一項に記載の取付部材の固定構造を組み込むことを特徴とする電気接続箱。
【発明の効果】
【００１２】
本発明の請求項１に係る取付部材の固定構造は、前記ネジ孔挿通部を前記雌ネジに挿通した状態で前記ネジ孔挿通部を変形することによって前記取付部材を前記取付先に固定するため、前記固定部材を斜めにして固定することを防止するとともに、工具等によって前記中空部に対して軸方向、あるいは軸に直交する方向に所定の外力を負荷し、前記ネジ孔挿通部の前記外周面が前記ネジ孔の内面に追従するように前記ネジ孔挿通部を変形することによって前記固定部材を固定することができるので、ボルトとナットのように締結トルクを管理する必要がなく、しかも、前記固定部材が前記雌ネジに対応した雄ネジとして機能するので、取付部材を取付先に着脱可能に固定するとともに、取付部材の固定作業を簡略化することができる。
【００１３】
本発明の請求項２に係る取付部材の固定構造は、前記フランジ部を回転操作することによって、前記取付部材を前記取付先から容易に離脱することができる。
【００１４】
本発明の請求項３に係る取付部材の固定構造は、前記挿通部の引っ張り強度を調整することによって、前記先端拡大部によって前記ネジ孔挿通部材の前記前端縁面に負荷される荷重を調整できるので、前記ネジ孔挿通部の変形量を容易に調整することができる。
【００１５】
本発明の請求項４に係る取付部材の固定構造は、前記フランジ部に形成した前記円柱状空間を前記貫通部によって塞ぐことができるので、前記フランジ部の強度を増加することができる。
【００１６】
本発明の請求項５に係る電気接続箱は、請求項１から４のいずれか一項に記載の取付部材の固定構造を組み込んでいるので、前記取付部材の固定構造と同様の効果を奏することができる。
【図面の簡単な説明】
【００１７】
【図１】図１は、本発明の実施例に係る取付部材の固定構造を組み込んだ電気接続箱の一部であるヒューズ装着部の分解斜視図である。
【図２】図２は、取付部材の固定構造を組み込んだ電気接続箱の一部であるヒューズ装着部の斜視図である。
【図３】図３は、取付操作部材を組み付けた固定部材を側方から視た図である。
【図４】図４は、（ａ）が取付操作部材を後方に引っ張る前の状態を示したヒューズ装着部の斜視図であり、（ｂ）が（ａ）の雌ネジ周辺を示した断面図である。
【図５】図５は、（ａ）が取付操作部材を後方に引っ張って破断することによって取付部材の固定を完了したヒューズ装着部の斜視図であり、（ｂ）が（ａ）の雌ネジ周辺を示した断面図である。
【図６】図６は、（ａ）が本発明の実施例２に係る取付部材の固定構造を組み込んだヒューズ装着部であり、取付操作部材を押し込む前の状態を示し、（ｂ）が（ａ）の雌ネジ周辺を示した断面図である。
【図７】図７は、（ａ）が本発明の実施例２に係る取付部材の固定構造を組み込んだヒューズ装着部であり、取付操作部材を押し込んだ状態を示し、（ｂ）が（ａ）の雌ネジ周辺を示した断面図である。
【発明を実施するための形態】
【００１８】
以下、図面を参照して、本発明に係る取付部材の固定構造および電気接続箱の好適な実施例を詳細に説明する。
【実施例１】
【００１９】
図１は、本発明の実施例１に係る取付部材の固定構造１を組み込んだ電気接続箱の一部であるヒューズ装着部１０の分解斜視図である。なお、図１は、取付操作部材８０を破断する前の状態である。図２は、取付部材の固定構造１を組み込んだ電気接続箱の一部であるヒューズ装着部１０の斜視図である。図３は、取付操作部材８０を組み付けた固定部材７０を側方から視た図である。
なお、本発明の実施例１では説明の便宜上、図中に示すように前後、および上下方向を定義する。
本発明の実施例１に係る取付部材の固定構造１は、例えば、自動車に設置し、電力を分配するためのモジュールとして用いる電気接続箱のヒューズ装着部１０に組み込むものである。なお、ヒューズ装着部１０はヒュージブルリンク４０を備え、電源からの電力をヒュージブルリンク４０を通して各電装品に供給する部分である。
【００２０】
ヒューズ装着部１０は、ヒュージブルリンク４０と、装着本体部２０と、装着本体部２０に設けた雌ネジ３０と、バスバー等の導電性の板状部材である接続板５０と、ワイヤーハーネス６０と、固定部材７０と、取付操作部材８０と、を有する。
【００２１】
なお、取付部材の固定構造１は、取付部材としてそれぞれ取付孔４１ａ、５０ａ、６１ａを形成した、ヒュージブルリンク４０のヒューズ端子４１と、導電性の板状部材である接続板５０と、ワイヤーハーネス６０の電線端子６１と、を有し、各取付部材４１、５０、６１を取付先としての装着本体部２０に着脱可能に固定するものである。
この取付部材の固定構造１は、重ね合わせた取付部材４１、５０、６１を装着本体部２０に固定する位置に設けた雌ネジ３０と、固定部材７０と、取付操作部材８０と、を有する。
【００２２】
以下、ヒューズ装着部１０の概要を説明しつつ取付部材の固定構造１の各構成要素ついて詳細に説明する。
ヒュージブルリンク４０は、ヒューズ本体部４２と、一対のヒューズ端子４１、４１と、を有する。
ヒューズ本体部４２は、一対のヒューズ端子４１、４１の間で各ヒューズ端子４１に接続する不図示の可溶部を収容する部分である。
各ヒューズ端子４１は、ヒューズ本体部４２から下方に向けて突設した板状金属端子である。
【００２３】
装着本体部２０は、合成樹脂等の絶縁材からなり、ヒューズ本体部４２を保持収容するヒューズ保持収容部２１と、ヒューズ端子４１と、接続板５０と、電線端子６１とを固定する固定部２２と、を有する。
【００２４】
ヒューズ保持収容部２１は、装着本体部２０の上部に設け、上面にヒュージブルリンク４０を内部に挿入するための開口を有する。
【００２５】
固定部２２は、装着本体部２０の下部、かつ、一対のヒューズ端子４１、４１に対応した二箇所に設ける。
この固定部２２は、雌ネジ３０を設け、ヒューズ保持収容部２１から下方に向けて突出するヒューズ端子４１が、接続板５０および電線端子６１に重ね合わせて固定し易いように、接続板５０および電線端子６１と重ね合わせる側の面が露出するようになっている。
【００２６】
雌ネジ３０は、取付部材４１、５０、６１を装着本体部２０に固定する位置に設ける。この雌ネジ３０は、金属等の導電材からなり、板状のベース部３１と、筒内をネジ孔３２ａとする筒状部３２と、を有する。
このような雌ネジ３０は、ベース部３１を装着本体部２０に埋設することによって装着本体部２０に固定する。
【００２７】
固定部材７０は、各取付部材４１、５０、６１の取付孔４１ａ、５０ａ、６１ａに挿通した状態で雌ネジ３０のネジ孔３２ａに挿通するネジ孔挿通部７１と、ネジ孔挿通部７１の挿入方向後端部に連続し、ネジ孔３２ａの径よりも拡大したフランジ部７２と、ネジ孔３２ａの軸方向に沿って後端面から前方に向けて貫通する円柱状空間７３を形成した中空部７４と、を備える。
なお、円柱状空間７３が固定部材７０を貫通するように設けられているため、中空部７４は固定部材７０の前端から後端までの固定部材７０の全ての部分になっている。
【００２８】
ネジ孔挿通部７１は、筒状をなし、外径がネジ孔３２ａのネジの谷の径に比して僅かに小さくなるように調整する。
【００２９】
フランジ部７２は、ネジ孔３２ａの軸を中心として回転操作可能な形状をなす。
より具体的には、フランジ部７２は、外形がボルトの標準規格寸法に対応した６角形状をなし、レンチ等の工具で回転操作することができるようになっている。
なお、フランジ部７２は工具で回転操作できる形状であれば、その他の形状であっても構わない。例えば、フランジ部７２はペンチで摘まんで回転操作できる形状であってもよい。
【００３０】
取付操作部材８０は、円柱状空間７３に挿通することによって中空部７４を貫通する貫通部８１と、貫通部８１の先端側に連接し、円柱状空間７３の径よりも大きく形成した先端拡大部８２と、を含む金属部材である。
【００３１】
貫通部８１は、円柱状空間７３の径に比して僅かに小さい径を有する断面円形状の棒状部分であり、軸方向の所定位置で破断し易いように不図示の切り欠きを形成している。
【００３２】
切り欠きは、先端拡大部８２をネジ孔挿通部７１の前端縁面７１ａに突き当てつつ貫通部８１を後方に引っ張ることによって生じる引っ張り力によって、貫通部８１がフランジ部７２に形成した円柱状空間７３まで延びた位置で破断するように形成位置を調整している。
なお、切り欠きの形成位置はこれに限らず、固定後の外観、あるいは、安全性を加味して調整してもよい。
【００３３】
先端拡大部８２は、ネジ孔挿通部７１の輪状の前端縁面７１ａに接触し易いように周方向に沿って貫通部に対して凸形状になるように形成する。
【００３４】
このような取付部材の固定構造１は、取付部材としてのヒューズ端子４１と、接続板５０と、電線端子６１とを、取付先としての装着本体部２０に固定する場合、雌ネジ３０とフランジ部７２とで重ね合わせた取付部材４１、５０、６１を挟持した状態で、中空部７４を起点としてネジ孔挿通部７１の外周面７１ｂがネジ孔３２ａの内面３２ａａに追従するようにネジ孔挿通部７１を変形する。
【００３５】
また、各取付部材４１、５０、６１を装着本体部２０から離脱する場合、ネジ孔挿通部７１がネジ孔３２ａから離脱する方向に回転するように固定部材７０を回転操作する。
【００３６】
なお、雌ネジ３０および固定部材７０は、ネジ孔挿通部７１が雄ネジとして機能する程度にネジ山を形成できる材質を選定するとよい。
【００３７】
次に、図４および図５を用いて取付部材４１、５０、６１を装着本体部２０に固定する手順と、各部の作用を説明する。
図４は、（ａ）が取付操作部材８０を後方に引っ張る前の状態を示したヒューズ装着部１０の斜視図であり、（ｂ）が（ａ）の雌ネジ３０周辺を示した断面図である。図５は、（ａ）が取付操作部材８０を後方に引っ張って破断することによって取付部材４１、５０、６１の固定を完了したヒューズ装着部１０の斜視図であり、（ｂ）が（ａ）の雌ネジ３０周辺を示した断面図である。
【００３８】
まず、作業者は、取付操作部材８０を前端側から挿通した固定部材７０のネジ孔挿通部７１を、重ね合わせた取付部材４１、５０、６１の各取付孔４１ａ、５０ａ、６１ａに通しつつネジ孔３２ａに挿通する。（図４参照）。これによって、図４（ｂ）に示すように、重ね合わせた各取付部材４１、５０、６１を雌ネジ３０とフランジ部７２との間に挟み込む。
【００３９】
その後、作業者は、取付操作部材８０の貫通部８１を後方に引っ張り、先端拡大部８２をネジ孔挿通部７１の前端縁面７１ａに押し付けることによって、ネジ孔挿通部７１の外周面７１ｂがネジ孔３２ａの内面３２ａａに追従するように変形する（図５参照）。
このため、先端拡大部８２によって後方への圧縮荷重を負荷された中空部７４の一部が圧縮変形し、ネジ孔挿通部７１の外周面７１ｂがネジ孔３２ａの内面３２ａａに追従することによって、外周面にネジ山が形成され、固定部材７０が雄ネジとして機能する。
これにより各取付部材４１、５０、６１が重ね合わさり、電気的に接続した状態で装着本体部２０に固定する。
【００４０】
なお、この作業は、例えば、ブラインドリベットの固定に用いる工具である不図示のリベッターを用いて実施する。このリベッターを用いることによって、フランジ部７２を前方に押圧した状態で貫通部８１を後方に引っ張ることができる。なお、工具はリベッターに限定せず、その他の工具を用いてもよい。
【００４１】
また、装着本体部２０に固定した各取付部材４１、５０、６１は、固定部材７０が雌ネジ３０に対応した雄ネジとして機能するため、フランジ部７２にレンチ等の工具を取り付け、固定部材７０をネジ孔挿通部７１がネジ孔３２ａから離脱する方向に回転することによって、装着本体部２０から離脱することができる。
このとき、取付操作部材８０の貫通部８１がフランジ部７２に形成した円柱状空間７３を埋めるように円柱状空間７３内に保持されているため、フランジ部７２の強度が低下することがない。
【００４２】
本発明の実施例１に係る取付部材の固定構造１は、ネジ孔挿通部７１を雌ネジ３０に挿通した状態でネジ孔挿通部７１を変形することによって取付部材４１、５０、６１を装着本体部２０に固定するため、固定部材７０を斜めにして固定することを防止するとともに、取付操作部材８０によって中空部７４に対して軸方向に所定の外力を負荷し、ネジ孔挿通部７１の外周面７１ｂがネジ孔３２ａの内面３２ａａに追従するようにネジ孔挿通部７１を変形することによって固定部材７０を固定することができるので、ボルトとナットのように締結トルクを管理する必要がなく、しかも、固定部材７０が雌ネジ３０に対応した雄ネジとして機能するので、取付部材４１、５０、６１を装着本体部２０に着脱可能に固定するとともに、取付部材４１、５０、６１の固定作業を簡略化することができる。
【００４３】
また、本発明の実施例１に係る取付部材の固定構造１は、フランジ部７２を回転操作することによって、取付部材４１、５０、６１を装着本体部２０から容易に離脱することができる。
【００４４】
また、本発明の実施例１に係る取付部材の固定構造１は、貫通部８１の引っ張り強度を調整することによって、先端拡大部８２によってネジ孔挿通部７１の前端縁面７１ａに負荷される荷重を調整できるので、ネジ孔挿通部７１の変形量を容易に調整することができる。
【００４５】
また、本発明の実施例１に係る取付部材の固定構造１は、フランジ部７２に形成した円柱状空間７３を貫通部８１によって塞ぐことができるので、フランジ部７２の強度を増加することができる。
【００４６】
また、本発明の実施例１に係る電気接続箱は、取付部材の固定構造１を組み込んでいるので、取付部材の固定構造１と同様の効果を奏することができる。
【実施例２】
【００４７】
次に、図６および図７を用いて、本発明の実施例２に係る取付部材の固定構造２について説明する。
図６は、（ａ）が本発明の実施例２に係る取付部材の固定構造２を組み込んだヒューズ装着部１００であり、取付操作部材２００を押し込む前の状態を示し、（ｂ）が（ａ）の雌ネジ３０周辺を示した断面図である。図７は、（ａ）が本発明の実施例２に係る取付部材の固定構造２を組み込んだヒューズ装着部１００であり、取付操作部材２００を押し込んだ状態を示し、（ｂ）が（ａ）の雌ネジ３０周辺を示した断面図である。
なお、本発明の実施例２では、説明の便宜上、図中に示すように前後、および上下方向を定義する。
本発明の実施例２に係る取付部材の固定構造２は、実施例１と同様に電気接続箱に組み込むものであり、異なる取付操作部材２００を用いている点で、実施例１の取付部材の固定構造１と異なる。
なお、その他の構成は実施例１と同様であり、実施例１と同一構成部分には同一符号を付している。
【００４８】
取付部材の固定構造２は、取付操作部材２００が前端から後方に向けて断面積が漸次大きくなるように形成した円錐の前端部を軸方向に垂直に切り落とした形状をなす金属部材である。この取付操作部材２００は、円柱状空間７３よりも大きい径の部分である大径部２１０を有する。
【００４９】
大径部２１０は、前端から所定間隔後方位置から後端に向けて断面積が円柱状空間より大きい径をなす部分である。
この大径部２１０の一部は、ネジ孔挿通部７１の円柱状空間７３内に押し込む。
【００５０】
このような取付部材の固定構造２は、取付部材としてのヒューズ端子４１と、接続板５０と、電線端子６１とを、取付先としてのブロック本体２０に固定する場合、雌ネジ３０とフランジ部７２とで重ね合わせた取付部材４１、５０、６１を挟持した状態で、取付操作部材２００を円柱状空間７３内に押し込み、固定部材７０を貫通することによって、ネジ孔挿通部７１の外周面７１ｂがネジ孔３２ａの内面３２ａａに追従するようにネジ孔挿通部７１を変形する。
【００５１】
また、各取付部材４１、５０、６１をブロック本体２０から離脱する場合、ネジ孔挿通部７１がネジ孔３２ａから離脱する方向に回転するように固定部材７０を回転操作する。
【００５２】
なお、雌ネジ３０および固定部材７０は、ネジ孔挿通部７１が雄ネジとして機能する程度にネジ山を形成できるように材質を選定するとよい。
【００５３】
本発明の実施例２に係る取付部材の固定構造２は、実施例１の取付部材の固定構造１と同様に、ネジ孔挿通部７１を雌ネジ３０に挿通した状態でネジ孔挿通部７１を変形することによって取付部材４１、５０、６１を装着本体部２０に固定するため、固定部材７０を斜めにして固定することを防止するとともに、取付操作部材２００によって中空部７４に対して軸に直交する方向に所定の外力を負荷し、ネジ孔挿通部７１の外周面７１ｂがネジ孔３２ａの内面３２ａａに追従するようにネジ孔挿通部７１を変形することによって固定部材７０を固定することができるので、ボルトとナットのように締結トルクを管理する必要がなく、しかも、固定部材７０が雌ネジ３０に対応した雄ネジとして機能するので、取付部材４１、５０、６１をブロック本体２０に着脱可能に固定するとともに、取付部材４１、５０、６１の固定作業を簡略化することができる。
【００５４】
また、本発明の実施例２に係る電気接続箱は、取付部材の固定構造２を組み込んでいるので、取付部材の固定構造２と同様の効果を奏することができる。
【００５５】
なお、この実施例２に係る取付部材の固定構造２は、円柱状空間７３が固定部材７０を貫通するものを例示したが、これに限らず、円柱状空間７３がネジ孔３２ａの軸方向に沿って後端面からネジ孔挿通部７１の一部まで延びるように形成しても構わない。この場合、ネジ孔挿通部７１の円柱状空間７３に円柱状空間７３より大きい径の部分を有する取付操作部材２００を押し込むことによって、ネジ孔挿通部７１の外周面７１ｂがネジ孔３２ａの内面３２ａａに追従するようにネジ孔挿通部７１を変形する。
【００５６】
なお、本発明の実施例１および実施例２に係る取付部材の固定構造１、２は、ヒューズ装着部１０、１００に組み込むものを例示したが、これに限らず、取付先への固定に用いる取付孔を形成した取付部材を取付先に対して着脱可能に固定するものであれば、その他に用いても構わない。例えば、自動車の内装部品を取付部材とし、内装パネルを取付先とする取付部材の固定構造に用いてもよい。
【００５７】
また、実施例１および実施例２に係る取付部材の固定構造は、取付操作部を有するものを例示したが、取付部材の固定構造は、取付操作部を有しないものであっても構わない。すなわち、取付操作部に代わって工具を用いてもよい。
【００５８】
また、実施例１および実施例２に係る取付部材の固定構造は、複数の取付部材を取付先に固定するものを例示したが、これに限らず、一つ以上の取付部材を取付先に固定することができればよい。
【００５９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６０】
１、２        取付部材の固定構造
１０、１００  ヒューズ装着部
２０          装着本体部（取付先）
２１          ヒューズ保持収容部
２２          固定部
３０          雌ネジ
３１          ベース部
３２          筒状部
３２ａ        ネジ孔
３２ａａ      内面
４０          ヒュージブルリンク
４１          ヒューズ端子（取付部材）
４１ａ、５０ａ、６１ａ  取付孔
４２          ヒューズ本体部
５０          接続板（取付部材）
６０          ワイヤーハーネス
６１          電線端子（取付部材）
７０          固定部材
７１          ネジ孔挿通部
７１ａ        前端縁面
７１ｂ        外周面
７２          フランジ部
７３          円柱状空間
７４          中空部
８０、２００  取付操作部材
８１          貫通部
８２          先端拡大部
２１０        大径部
【図１】
2015170482.tif 000003
【図２】
2015170482.tif 000004
【図３】
2015170482.tif 000005
【図４】
2015170482.tif 000006
【図５】
2015170482.tif 000007
【図６】
2015170482.tif 000008
【図７】
2015170482.tif 000009